(57)【要約】【課題】本発明は、ストロボ使用開始時点あるいは長期間使用時点を問わず、何時の段階でも電池蓋の開操作をポップアップ的に円滑容易に行なうことができる電池蓋付ストロボの蓋開閉補助機構を提供する。【解決手段】  本発明はストロボ本体１に電池１０を収納する収納室２と、この収納室２の一部に設けた軸支部１cにより支持され、該軸支部を支軸として回動操作されて前記収納室２の開口部を開閉する電池蓋１１と、前記収納室２に対する電池蓋１１の係止及び係止解除を行なう係止機構部と、を有する電池蓋付ストロボの蓋開閉補助機構であって、  前記軸支部を位置的に挟んだ前記電池蓋１１の両端にゴムまたはスポンジのような弾性材からなる付勢部材４a、４bを配置した構成としたものである。【選択図】図１
2010027425.tif 000002
【特許請求の範囲】
【請求項１】
電池を収納する収納室と、この収納室の一部に設けた軸支部により支持され、該軸支部を支軸として回動操作されて前記収納室の開口部を開閉する電池蓋と、前記収納室に対する電池蓋の係止及び係止解除を行なう係止機構部と、を有する電池蓋付ストロボの蓋開閉補助機構であって、
前記軸支部を位置的に挟んだ前期電池蓋の両端にゴムまたはスポンジのような弾性材からなる付勢部材を配置したことを特徴とする電池蓋付ストロボの蓋開閉補助機構。
【請求項２】
電池を収納する収納室と、この収納室の一部に設けた軸支部により支持され、該軸支部を支軸として回動操作されて前記収納室の開口部を開閉する電池蓋と、前記収納室に対する電池蓋の係止及び係止解除を行なう係止機構部と、を有する電池蓋付ストロボの蓋開閉補助機構であって、
前記付勢部材は前記電池蓋の両端に前記軸支部を挟んで形成した凹みにその頭部を露出してもうけてなることを特徴とする電池蓋付ストロボの蓋開閉補助機構。
【発明の詳細な説明】
【技術分野】
【０００１】
本発明は、蓋付筺体の蓋開閉補助機構及び電池蓋付ストロボの蓋開閉補助機構に関するものである。
【背景技術】
【０００２】
例えば、カメラによる被写体撮影時においては、照明光を被写体に照射する外付けのストロボをカメラに取り付けて被写体撮影を実行することが多く行なわれている。
【０００３】
このようなストロボとしては、その筺体の裏面側等に、ストロボランプを点灯させるための乾電池等を収納する例えば直方体状を呈する収納室が設けられ、かつ、収納室を開閉する電池蓋を具備する構成のものが多い。
【０００４】
この場合、電池蓋の開閉機構としては、収納室の一辺に軸支部を設けて電池蓋の一辺を回動可能に支持するとともに、収納室の他辺に設けた係止受部に電池蓋に設けた係止片部を係止することで、電池蓋により収納室の開口を閉塞する機構が多く採用される。
【０００５】
そして、乾電池等を取り出す際には、電池蓋に設けた操作片を指で操作し、係止受部に対する係止片部の係止状態を解除して電池蓋を開き、収納室内の乾電池等を表出させるようにしている。
【０００６】
ところが、単に操作片を操作しただけでは、必ずしも電池蓋を容易に開くことができない事態が生じる。
【０００７】
すなわち、ストロボの長期間使用による経年変化等により、係止受部と係止片部との間に位置ずれが発生して、操作片を指で操作しただけでは係止受部に対する係止片部の係止状態を解除できなくなり、電池蓋を開けなくなる等の不具合が生じてしまう。
【０００８】
特許文献１には、この種の電池蓋の開閉機構に関連する技術として、電池蓋をクリック感をもって開閉できるようにした電池蓋の開閉機構が提案されているが、この特許文献１を含め、電池蓋の開操作を円滑容易に行なうことができるようにした開閉機構は見当たらないのが現状である。
【特許文献１】特開平１０−００３８９３号公報
【発明の開示】
【発明が解決しようとする課題】
【０００９】
本発明が解決しようとする問題点は、ストロボ使用開始時点あるいは長期間使用時点を問わず、何時の段階でも電池蓋の開操作をポップアップ的に円滑容易に行なうことができる電池蓋付ストロボの蓋開閉補助機構が存在しない点である。
【課題を解決するための手段】
【００１０】
本発明は、電池を収納する収納室と、この収納室の一部に設けた軸支部により支持され、該軸支部を支軸として回動操作されて前記収納室の開口部を開閉する電池蓋と、前記収納室に対する電池蓋の係止及び係止解除を行なう係止機構部と、を有する電池蓋付ストロボの蓋開閉補助機構であって、
前記軸支部を位置的に挟んだ前記電池蓋の両端にゴムまたはスポンジのような弾性材からなる付勢部材を配置したことで特にこの付勢部材を電池蓋側に配置したことを最も主要な特徴とする。
【発明の効果】
【００１１】
請求項１記載の発明によれば、着脱対象物を収納する蓋付筺体の使用開始時点あるいは長期間使用時点を問わず、何時の段階でも蓋の開操作を円滑容易に行なうことができ、着脱対象物の交換作業に電池蓋を開放する場合ポップアップ的に機能し何等の支障が生じることがない蓋付筺体の蓋開閉補助機構を提供することができる。
【００１２】
請求項２記載の発明によれば、付勢部材は電池蓋の凹みに嵌合その他の手段で配置するので組み立ても容易な電池蓋付ストロボの蓋開閉補助機構を提供することができる。
【発明を実施するための最良の形態】
【００１３】
本発明は、ストロボ使用開始時点あるいは長期間使用時点を問わず、何時の段階でも電池蓋の開操作をポップアップ的に円滑容易に行なうことができる電池蓋付ストロボの蓋開閉補助機構を提供するという目的を有する。
【００１４】
本発明は、電池を収納する収納室と、この収納室の一部に設けた軸支部により支持され、該軸支部を支軸として回動操作されて前記収納室の開口部を開閉する電池蓋と、前記収納室に対する電池蓋の係止及び係止解除を行なう係止機構部と、を有する電池蓋付ストロボの蓋開閉補助機構であって、
前記軸支部を位置的に挟んだ前期電池蓋の両端にゴムまたはスポンジのような弾性材からなる付勢部材を配置した構成により上記目的を実現した。
【実施例】
【００１５】
以下に、本発明の実施例を図面を参照して詳細に説明する。
【００１６】
図１は、本発明の蓋付筺体の蓋開閉補助機構を例えば外付け型のストロボに適用した場合の具体的実施例を示すものである。
【００１７】
本実施例の電池蓋付ストロボの蓋開閉補助機構は、図１（図１は裏面側から見た状態を示す）に示すように、筐体であるストロボ本体１に設けた着脱対象物である電池１０を収納する収納室２と、この収納室２を開閉する電池蓋１１とにわたって設けたものである。
【００１８】
また、本実施例においては、前記収納室２と電池蓋１１とにわたって、電池蓋１１の係止及び係止解除を行なう後述するような係止機構部を設けている。
【００１９】
前記収納室２は、ストロボ本体１の裏面側に、例えば単３型の乾電池を２本並列配置で収納する直方体状の収納領域３を形成する凹陥した形態に設けられている。
【００２０】
前記収納室２の一辺（図１において奥側）側を画するストロボ本体１の裏面側の部分には、電池蓋１１の一辺側両隅に設けた軸着部１１ａ、１１ｂを例えば軸ピン結合で回動可能に支持する軸支部１ｃを設けている。
また、ストロボ本体１の裏面側において、前記軸支部１ｃの両側には、前記軸着部１１ａ、１１ｂの位置よりも収納室２側に寄った位置にこれら軸着部１１ａ、１１ｂに対応する配置で受段部１ａ、１ｂを形成している。
【００２１】
そして、前記電池蓋１１の裏側で前記軸支部１cを挟んでゴムまたはスポンジなどの弾性材からなる一対の付勢部材４a、４bを接着等によって貼り付ける。この場合付勢部材４a、４bｂは位置的に前記受段部１a、１bに対応している。そして電池蓋１１の閉状態において、一対の付勢部材４ａ、４ｂその一辺側の裏面両隅に圧接してその弾力により電池蓋１１を開方向に所謂ポップアップ的に付勢するように構成している。
【００２２】
すなわち、本実施例の蓋開閉補助機構は、電池蓋１１の閉状態において、一対の付勢部材４ａ、４ｂの弾力を利用して電池蓋１１を開方向に付勢し、電池蓋１１の開きを円滑容易にかつポップアップ的に実行し得るようにしたことが大きな特徴である。
【００２３】
前記係止機構部としては、電池蓋１１の他辺に係止爪片１２を設けるとともに、前記収納室２の他辺（図１において手前側）側の端縁に係止爪片１２を係止する係止受片５を設け、さらに、係止受片５に近傍に開閉操作用の操作片６を設ける構成を挙げることができる。
【００２４】
尚、このような係止機構部の構成は、あくまで一例であり、これに限定されるものではなく、また、機構自体は公知のものであるため、ここでは詳細説明は省略する。
【００２５】
図１において、７はストロボ本体１に設けたストロボ光発光面、８は前記収納室２内に配置した金属コイルバネ状の電極受端子である。
【００２６】
上述した本実施例の電池蓋付ストロボの蓋開閉補助機構によれば、図２に拡大断面で示すように、電池蓋１１の閉状態において、一対の付勢部材４ａ、４ｂの弾力を利用して電池蓋１１を開方向に付勢しておき（図２上欄）、この状態で前記操作片６を操作して前記係止爪片１２の係止受片５に対する係止状態を解除することによって、図２下欄に示すように、電池蓋１１は一対の付勢部材４ａ、４ｂの弾力の作用で円滑に開状態へと移行させることができる。
【００２７】
この結果、前記ストロボ本体１の使用開始時点あるいは長期間使用時点を問わず、何時の段階でも電池蓋１１の開操作をポップアップ的に円滑容易に行なうことができ、電池交換作業に何等の支障が生じることがない電池蓋付ストロボの蓋開閉補助機構を提供することができる。
【００２８】
本実施例では付勢部材４a、４ｂを電池蓋１１の隅に接着剤などで接着する手段を採用したが、これに限らず、付勢部材４a、４bを接着する位置を凹ませ、これに前記付勢部材を嵌合するか、或いは接着手段と併用することなど種々応用が可能である。
【００２９】
又本実施例の電池蓋付ストロボの蓋開閉補助機構は、例えばデジタルカメラ等のカメラ類に設けた電池蓋、電子辞書、ノートパソコン、携帯型音響機器、携帯電話等に各々設けた電池蓋、各種リモートコントローラ等における各電池蓋が、軸支持回動型である場合には上述した場合と同様に好適に適用でき、各々の場合に電池蓋の開操作をポップアップ的に円滑容易に実行でき、電池交換作業に何等の支障が生じることがないという効果を奏するものである。
【産業上の利用可能性】
【００３０】
本発明は、クリップオン型のストロボ、グリップ型のストロボ等、各種形態のストロボに適用できる。また、本発明は、上述したように、デジタルカメラ等のカメラ類、電子辞書、ノートパソコン、携帯型音響機器、携帯電話、各種リモートコントローラ等における電池蓋開閉機構として広範に応用可能である。
【図面の簡単な説明】
【００３１】
【図１】本発明の実施例に係る電池蓋付ストロボの蓋開閉補助機構を含むストロボにおいて電池蓋を開状態とした場合を示す概略斜視図である。
【図２】本実施例に係る電池蓋付ストロボの蓋開閉補助機構における電池蓋の閉から開への移行状態を示す説明図である。
【符号の説明】
【００３２】
１    ストロボ本体
１ａ  受段部
１ｂ  受段部
１ｃ  軸支部
２    収納室
３    収納領域
４ａ  付勢部材
４ｂ  付勢部材
５    係止受片
６    操作片
７    ストロボ光発光面
８    電極受端子
１０    電池
１１    電池蓋
１１ａ  軸着部
１１ｂ  軸着部
１２    係止爪片
【図１】
2010027425.tif 000003
【図２】
2010027425.tif 000004